(57)【要約】【課題】バッテリ交換の際に識別情報等の特定情報を保持できる無線端末装置を提供する。【解決手段】バッテリ４０が取り外されたことを検出すると（ｓ２）、ＣＰＵ２０はＲＡＭ２２に記憶されている顧客情報を読み出す（ｓ３）。ＣＰＵ１０は、ＲＯＭ２１内に割り当てられた書込回数記憶部２１３を読み出し、同じＲＯＭ２１内に割り当てられた最適なアドレスの顧客情報記憶部２１４を選択して顧客情報を記憶する（ｓ４）。バッテリ４０が取り付けられたことを検出すると（ｓ５）、ＣＰＵ２０は顧客情報記憶部２１４から顧客情報を読み出し（ｓ６）、ＲＡＭ２２に記憶する（ｓ７）。【選択図】  図５
2006261966.tif 000002
【特許請求の範囲】
【請求項１】
書き込み可能な不揮発性記憶手段と、
継続的に使用される特定情報を記憶する揮発性記憶手段と、
当該装置の各部に電力を供給するバッテリを装着するバッテリ装着部と、
該バッテリ装着部からバッテリを取り外す操作を検出すると前記揮発性記憶手段に記憶された特定情報を前記不揮発性記憶手段に複写するとともに、
前記バッテリが再度取り付けられた時、前記不揮発性記憶手段に記憶した特定情報を前記揮発性記憶手段に再度複写する制御手段と、を備えたことを特徴とする無線端末装置。
【請求項２】
前記制御手段は、前記特定情報を前記不揮発性記憶手段に複写したことを示す複写検出データを前記特定情報とともに前記不揮発性記憶手段に記憶し、前記バッテリの取り付け検出時に前記複写検出データに基づき前記特定情報を前記揮発性記憶手段へ複写する請求項１に記載の無線端末装置。
【請求項３】
前記不揮発性記憶手段は前記特定情報を記憶する領域を複数備え、
前記制御手段は、これら複数の領域を順次替えながら前記特定情報を複写する請求項１または請求項２に記載の無線端末装置。
【請求項４】
前記不揮発性記憶手段は前記複数の領域毎に対応した書込回数データ領域を備え、
前記制御手段は、前記揮発性記憶手段から前記不揮発性記憶手段に前記特定情報を複写する際に対応する領域への書き込み回数を前記書込回数データ領域に記憶し、記憶された書き込み回数に基づいて前記領域を切り替える請求項３に記載の無線端末装置。
【請求項５】
前記制御手段は前記書き込み回数が所定値以上を超えた領域への前記特定情報の複写を行わない請求項４に記載の無線端末装置。
【請求項６】
前記特定情報は顧客の識別情報である請求項１〜請求項５のいずれかに記載の無線端末装置。
【発明の詳細な説明】
【技術分野】
【０００１】
この発明は、カラオケシステムで利用者が手元に置いて各種操作を行うリモコン装置等の無線端末装置に関する。
【背景技術】
【０００２】
従来のカラオケ装置では、利用者の手元に置かれ、利用者がカラオケ装置本体に対して演奏する曲目を入力したり、入力された曲目を前記本体に送信したりする無線端末装置であるリモコン装置が備えられている（例えば、特許文献１参照）。
【０００３】
そして、このようなリモコン装置は通常バッテリを装着している。
【特許文献１】特開２００３−２７１１６３公報
【発明の開示】
【発明が解決しようとする課題】
【０００４】
しかしながら、近年のカラオケの多機能化に伴い、リモコン装置も多機能化されて部品が多くなったことで、消費電力量が増加している。このため、バッテリの寿命が短くなり、１日に数回、利用者の使用中にバッテリを交換しなければならない状況が発生することがある。
【０００５】
ところで、前述の多機能化された機能の中に、リモコン装置へ個人の識別情報を入力して記憶し、使用時に利用者の使い勝手を良くする機能がある。
【０００６】
しかしながら、この識別情報の記憶は通常ＲＡＭに記憶されているため、バッテリ交換等の電力供給が停止する際に、記憶しておいた識別情報が消えてしまい、利用者はバッテリ交換後に再度識別情報の入力を行わなければならなかった。
【０００７】
従って、この発明は、バッテリ交換等の電力供給停止が発生しても、利用者から入力された識別情報を保持することができる無線端末装置を提供することを目的とする。
【課題を解決するための手段】
【０００８】
この発明の無線端末装置は、書き込み可能な不揮発性記憶手段と、継続的に使用される顧客の識別情報を含む特定情報を記憶する揮発性記憶手段と、当該装置の各部に電力を供給するバッテリを装着するバッテリ装着部と、該バッテリ装着部からバッテリを取り外す操作を検出すると前記揮発性記憶手段に記憶された特定情報を前記不揮発性記憶手段に複写するとともに、前記バッテリが再度取り付けられた時、前記不揮発性記憶手段に記憶した特定情報を前記揮発性記憶手段に再度複写する制御手段と、を備えたことを特徴とする。
【０００９】
また、この発明の無線端末装置は、前記制御手段が、前記特定情報を前記不揮発性記憶手段に複写したことを示す複写検出データを前記識別情報とともに前記不揮発性記憶手段に記憶し、前記電力供給手段の取り付け検出時に前記複写検出データに基づき前記特定情報を前記揮発性記憶手段へ複写することを特徴とする。
【００１０】
また、この発明の無線端末装置は、前記不揮発性記憶手段に前記特定情報を記憶する領域を複数備え、前記制御手段が、これら複数の領域を順次替えながら前記特定情報を複写することを特徴とする。
【００１１】
また、この発明の無線端末装置は、前記不揮発性記憶手段に前記複数の領域毎に対応した書込回数データ領域を備え、前記制御手段が、前記揮発性記憶手段から前記不揮発性記憶手段に前記特定情報を複写する際に対応する領域への書き込み回数を前記書込回数データ領域に記憶し、記憶された書き込み回数に基づいて前記領域を切り替えることを特徴とする。
【００１２】
また、この発明の無線端末装置は、前記制御手段で前記書き込み回数が所定値以上を超えた領域への前記特定情報の複写を行わないことを特徴とする。
【００１３】
また、この発明の無線端末装置は、前記特定情報が顧客の識別情報であることを特徴とする。
【発明の効果】
【００１４】
この発明によれば、バッテリの交換を検出して揮発性記憶手段に記憶された特定情報を未然に不揮発性記憶手段に複写し、バッテリ交換後に前記特定情報を揮発性記憶手段に戻すことで、バッテリの交換時に特定情報を保持し続けることができる。これにより、利用者はバッテリ交換後に識別情報等の特定情報を入力し直す等の煩雑な動作を行う必要がなく、利用者にとって使い勝手の良い無線端末装置を提供することができる。
【００１５】
さらに、この際、特定情報を複写する不揮発性記憶手段の領域を分割して使用し、且つ所定回数に亘り複写に使用した場合に、その領域を使用禁止することで、効率的且つ確実に特定情報の保持を行うことができる。
【発明を実施するための最良の形態】
【００１６】
図１は無線端末装置１の外観図である。また、図２は同無線端末装置１のブロック図である。
この無線端末装置１はカラオケ曲の予約や曲のテンポ・キーをコントロールする機能を備えた所謂リモコン装置として機能するほか、カラオケ曲の試聴機能、顧客のログイン機能、各種課金精算機能、カメラによる撮影機能、歌詞表示機能等種々の機能を備えている。無線端末装置１は、カラオケ店舗においては、無線ＬＡＮ端末として機能する。
【００１７】
無線端末装置１は、同図に示すように、略五角形（ホームベース状）の形状をしており、中央部にＬＣＤディスプレイ１０を備えている。このＬＣＤディスプレイ１０の下方中央にカードリーダ部１２、その左右にステレオスピーカ１１が設けられている。また、ＬＣＤディスプレイ１０の上端部には、カメラ１３、ストロボフラッシュ１４が設けられている。
【００１８】
ＬＣＤディスプレイ１０は、タッチパネル機能を有している。動作モードに応じてＬＣＤディスプレイ１０には、各種のタッチキーが表示され、利用者によるタッチキーの操作をタッチパネルスイッチ２９（図２参照）が検出する。表示されるタッチキーには、曲番号を入力するためのテンキースイッチ、曲名を入力するための５０音キーボード、パソコン配列のキーボード等があり、動作モードに対応したものが表示される。
【００１９】
また、カラオケ曲の演奏中には、ＬＣＤディスプレイ１０にカラオケ曲の歌詞テロップが、カラオケ装置（図示せず）によるカラオケ曲の演奏と同期して表示される。
【００２０】
カードリーダ部１２には顧客のＩＤカードがセットされる。ＩＤカードは無線通信機能を備えたＩＣカードである。カードリーダ部１２の内部には、非接触カードインタフェース２５（図２参照）のアンテナが埋め込まれている。
図３は重要情報である顧客情報の利用フローを示すフローチャートである。
顧客のＩＤカードがカードリーダ部１２にセットされると（ｓ１０１）、非接触カードインタフェース２５が無線通信でＩＤカードと通信し、このＩＤカードに記憶されている顧客ＩＤを読み取る（ｓ１０２）。無線端末装置１は、読み取ったＩＤを、ＬＡＮを介してセンタに送信する（ｓ１０３）。センタは、無線端末装置１から顧客ＩＤを受信することにより、当該顧客の利用履歴を更新するとともに、当該無線端末装置１に対してこの顧客の顧客情報を送信する。無線端末装置１は、センタから顧客情報を受信して（ｓ１０４）、ＲＡＭ２２（図２参照）に記憶する（ｓ１０５）。そして、顧客がタッチパネルスイッチ２９を操作してリクエスト曲を選曲し送信操作を行うと（ｓ１０６）、曲番とともに顧客情報がカラオケ装置に送信される（ｓ１０７）。カラオケ装置は、受信した曲番と顧客情報とに応じてカラオケ曲のスタート時に顧客の名前を表示する等の顧客個別対応を行う。
【００２１】
また、この無線通信装置１は、簡略な音源２３を内蔵しており、楽曲データの一部を再生してカラオケ曲の試聴演奏をする機能を有している。この試聴演奏された楽音がステレオスピーカ１１から出力される。
【００２２】
無線端末装置１を制御するＣＰＵ２０には、内部バスを介してＲＯＭ２１、ＲＡＭ２２、音源２３、非接触カードインタフェース２５、無線ＬＡＮインタフェース２６、周辺機器コントローラ２８が接続されている。また、これら無線端末装置１の各ブロックは、バッテリ４０により電力供給されている。
【００２３】
ＲＯＭ２１には、この無線端末装置１の動作を制御する各種プログラムが記憶されている。ＲＯＭ２１はフラッシュメモリで構成されており、ＵＳＢインタフェースを介して接続される外部装置によってプログラムの書き換えが行われる。ＲＡＭ２２には、顧客ＩＤを含む顧客情報等の各種データが記憶されている。また、歌詞表示モードを備える場合にはカラオケ装置からＬＡＮを介して送られてくるカラオケ曲の歌詞データを記憶する。
【００２４】
また、ＲＯＭ２１には、後述するバッテリ４０交換時に、ＲＡＭ２２に記憶されている顧客情報が記憶される。図４はＲＯＭ２１の記憶領域の構成を示すイメージ図である。ＲＯＭ２１は、この顧客情報の記憶領域２１１と制御用プログラムの記憶領域２１２とを分割して構成している。顧客情報の記憶領域２１１は、さらに複数の顧客情報記憶部２１４とこの顧客情報記憶部２１４にそれぞれ対応する書込回数記憶部２１３とを備える。
【００２５】
顧客情報記憶部２１４には前述のＲＡＭ２２から読み取られた顧客情報が記憶され、書込回数記憶部２１３には対応する顧客情報記憶部２１４の書込回数が記憶されている。
【００２６】
音源２３は、カラオケ装置に内蔵されているものよりは簡略なものであるが、カラオケ曲の楽曲データに基づいて楽音を発生させることができるものである。この音源２３は、試聴モード時に利用される。試聴モードでは、利用者によって選択されたカラオケ曲の楽曲データの一部をカラオケ装置からダウンロードして、この楽曲データの一部を音源２３で再生する。音源２３にはアンプ２４が接続されている。アンプ２４は音源２３が生成した試聴用の楽音を増幅してステレオスピーカ１１に出力する。
【００２７】
非接触カードインタフェース２５は、カードリーダ部１２にセットされた非接触媒体であるＩＤカードと通信するためのインタフェースである。この非接触カードインタフェース２５は、電磁波で非接触カードに電源を供給する機能および無線で非接触カードと通信する機能を備えている。非接触カードインタフェース２５でＩＤカード読み取られた顧客ＩＤはＲＡＭ２２に記憶される。
【００２８】
無線ＬＡＮインタフェース２６は、アンテナ２７を内蔵し、無線アクセスポイントを介してこの無線端末装置１をＬＡＮに接続するためのインタフェースである。
【００２９】
周辺機器コントローラ２８には、ＬＣＤディスプレイ１０、タッチパネル２９、カメラ１３、ストロボフラッシュ１４のほか、赤外線リモコン信号をカラオケ装置に対して送信する赤外線リモコン送信部３０、他の装置と赤外線通信するためのＩｒＤＡ３１、ＵＳＢインタフェース３２等が接続されている。
【００３０】
赤外線リモコン送信部３０は、対応するカラオケ装置とのペアリング処理時に用いられる。なお、ペアリングとは、互いにＬＡＮで接続される複数台のカラオケ装置と複数台の無線端末装置１とを、それぞれ個別に対応づける動作である。ＵＳＢインタフェース３２は、この無線端末装置１にパーソナルコンピュータ等のメンテナンス装置を接続して、ＲＯＭ２１を書き換える時に使用される。
【００３１】
バッテリ４０は、無線端末装置１の裏面側等に内蔵されており、無線端末装置１の前述の各部に電力供給をする。バッテリ４０は無線端末装置１に対して着脱可能に設置されるものであり、バッテリ４０の充電量が減ると、ＣＰＵ２０はこれを検知して、ＬＣＤディスプレイ１０上にバッテリ交換を示す表示を行う。利用者および管理者はこの表示を認識してバッテリ４０の交換を行う。
【００３２】
ＣＰＵ２０はバッテリ４０を取り外す操作を検出する。この取り外し操作の検出方法は、例えば、無線端末装置１のバッテリ装着部の蓋にスイッチを備え、この蓋を開けるためにスイッチがＯＦＦされたことでバッテリ取り外し操作を検出する方法等がある。また、バッテリが取り付けられるとＣＰＵ２０が起動するので、この起動によってバッテリの取り付けを検出する。
【００３３】
図５〜図７はバッテリ交換時の無線端末装置１の動作を示すフローチャートである。
図５はバッテリ交換時の顧客情報の保持処理を示すフローチャートである。また、図６はＲＡＭ２２とＲＯＭ２１との間での顧客情報の取り扱いを示す模式図である。
【００３４】
ＣＰＵ２０はバッテリ４０の残容量を監視し、残容量が所定値以下になると、バッテリ交換要求表示をＬＣＤディスプレイ１０上に出力する（ｓ１）。利用者または管理者がこの表示を見てバッテリ４０を交換するのであるが、バッテリホルダの蓋が開けられると、ＣＰＵ２０はバッテリ４０が無線端末装置１本体から取り外されることを検出する（ｓ２）。ＣＰＵ２０は、このバッテリ４０の取り外し操作を検出すると、ＲＡＭ２２から顧客情報等の重要情報を読み出す（ｓ３）。ＣＰＵ２０は読み出した顧客情報を、後述する方法でＲＯＭ２１の顧客情報記憶部２１４に書き込む（ｓ４）。この際、ＣＰＵ２０は、顧客情報をＲＡＭ２２からＲＯＭ２１に複写したことを示す複写フラグを形成して、ＲＯＭ２１に書き込む。
【００３５】
ＣＰＵ２０は、バッテリ４０の取り付けを検出すると、ＲＯＭ２１に書き込まれた複写フラグを検出して、顧客情報記憶部２１４から顧客情報を読み出し（ｓ６）、顧客情報をＲＡＭ２２に書き込む（ｓ７）。ＣＰＵ２０は顧客情報がＲＡＭ２２に書き込まれると、この顧客情報を用いてバッテリ交換前の情報記憶状態に復元する（ｓ８）。
【００３６】
このような処理を行うことで、バッテリ４０を交換する際に、一時的に電力供給が停止しても、ＲＡＭ２２に記憶した顧客情報がＲＯＭ２１に一時待避されて、電力復帰後に再度ＲＡＭ２２に戻される。これにより、バッテリ４０交換時の顧客情報の消滅を防止でき、従来のようにバッテリ４０を交換する毎に利用者が顧客情報を入力する必要がなくなる。
【００３７】
図７はＲＯＭ２１に顧客情報を書き込む処理をより具体的に示すフローチャートである。
ＣＰＵ２０は、ＲＯＭ２１の書込回数記憶部２１３から、アドレス順に記憶されている書込回数を読み出す（ｓ４１）。ＣＰＵ２０は読み出した書込回数が予め設定した閾値より大きいかどうかを判定する（ｓ４２）。ここで、閾値とは所定の顧客情報記憶部２１４に書き込まれた回数が、使用するフラッシュメモリにおける限界の書込回数に相当する場合を示すものである。すなわち、書き込み禁止のための閾値である。ＣＰＵ２０は、読み出した書込回数が閾値よりも大きければ、書込回数記憶部２１３のアドレスをインクリメントして、次のアドレスの書込回数を読み出して、閾値よりも大きいかどうかを判定する（ｓ５１→ｓ４２）。
【００３８】
ＣＰＵ２０は、この処理を順次行い、読み出した書込回数が閾値以下であれば、この書込回数記憶部２１３に対応する顧客情報記憶部２１４を指定して（ｓ４３）、ＲＡＭ２２から読み出した顧客情報を書き込む（ｓ４４）。ＣＰＵ２０は、この顧客情報の書き込みとともに、ＲＯＭ２１の所定領域に、ＲＡＭ２２からの顧客情報を書き込んだことを示す複写フラグを書き込む（ｓ４５）。さらに、ＣＰＵ２０は、顧客情報の書き込みを行うと、対応する書込回数記憶領域２１３の書込回数を１つインクリメントして更新する（ｓ４６）。このように、本実施形態の無線端末装置は、ＲＡＭ２２の顧客情報をＲＯＭ２１に書き込む際に、分割された複数の顧客情報記憶部２１３を順に使用する。すなわち、本実施形態の無線端末装置は、ＲＯＭ２１の指定された領域を顧客情報の記憶領域として部分分割し、さらに、この領域を複数の顧客情報記憶部２１３で分割して、ＲＡＭ２２からの顧客情報の書き込みに使用する。これにより、ＲＯＭ２１を高効率に使用することができる。
【００３９】
さらに、各顧客情報記憶部２１３に対して書込回数を設定することで、各顧客情報記憶部２１３を書込回数限界以上で書き込み続けることを防止する。この結果、確実にＲＡＭ２２からの顧客情報をＲＯＭ２１に記憶することができる。
【００４０】
なお、前述の説明では、バッテリの取り外し、取り付け検出にスイッチ動作を用いたが、これに限ることなく、バッテリからの電力供給状態や取り付け状態が検出できる構成であれば適用することができる。
【図面の簡単な説明】
【００４１】
【図１】この発明の実施形態である無線端末装置の外観図
【図２】無線端末装置のブロック図
【図３】重要情報である顧客情報の利用フローを示すフローチャート
【図４】ＲＯＭ２１の記憶領域の構成を示すイメージ図
【図５】バッテリ交換時の顧客情報の保持処理を示すフローチャート
【図６】ＲＡＭ２２とＲＯＭ２１との間での顧客情報の取り扱いを示す模式図
【図７】ＲＯＭ２１に顧客情報を書き込む処理を示すフローチャート
【符号の説明】
【００４２】
１−無線端末装置
１０−ＬＣＤディスプレイ
１１−ステレオスピーカ
１２−カードリーダ部
１３−カメラ
１４−ストロボフラッシュ
２０−ＣＰＵ
２１−ＲＯＭ
２１１−顧客情報の記憶領域
２１２−制御用プログラムの記憶領域
２１３−書込回数記憶部
２１４−顧客情報記憶部
２２−ＲＡＭ
２３−音源
２４−アンプ
２５−非接触カードＩ／Ｆ
２６−無線ＬＡＮＩ／Ｆ
２７−アンテナ
２８−周辺機器コントローラ
２９−タッチパネル
３０−赤外線リモコン送信部
３１−ＩｒＤＡ
３２−ＵＳＢＩ／Ｆ
４０−バッテリ
【図１】
2006261966.tif 000003
【図２】
2006261966.tif 000004
【図３】
2006261966.tif 000005
【図４】
2006261966.tif 000006
【図５】
2006261966.tif 000007
【図６】
2006261966.tif 000008
【図７】
2006261966.tif 000009